(57)【要約】【課題】家庭において、クランプ式電流計を用いて、家電製品に流れる電流を簡易に測定できる冶具の提供。【解決手段】電流測定用治具１は、両端にプラグ２とプラグコンセント３を有し、それらの間に接続する電線束４から構成される。この電線束４は、電気的に絶縁された２導線５ａ、５ｂよりなり、この２導体５ａ、５ｂを相互に解離することで，空隙部分６が構成される。コンセントにプラグ２を差し込み、また、プラグコンセント３に家電製品のコードの末端に付いているプラグを差し込み、この空隙部分６にクランプ式電流計のクランプを咬ませることで、家電製品を稼働させたときに流れる電流、つまり、家電製品に流れる電流を計測することができる。【選択図】 図１
2010236931.tif 000002
【特許請求の範囲】
【請求項１】
プラグ，プラグコンセント及びそれらの間に接続する絶縁された２導線からなる電線束からなり，前記電線束には，前記２導体を相互に解離し，空隙部分を設けたことを特徴とする電流測定用治具。
【請求項２】
前記電線束の部分を熱収縮チューブにて一体化したことを特徴とする請求項１に記載の電流測定用治具。
【請求項３】
プラグ，プラグコンセント及びクランプ電流計を咬ませるループを有する測定部とからなり，
前記プラグと前記測定部の間には絶縁された２導線からなる第１の電線束にて，及び，前記プラグコンセントと前記測定部の間には絶縁された２導線からなる第２の電線束にて，それぞれ電気的に接続され，
前記測定部の内部には，前記第１の電線束と前記第２の電線束の各２導線を測定部の有するループに沿って配設し、電気的に結合されることを特徴とする電流測定用治具。
【発明の詳細な説明】
【技術分野】
【０００１】
本発明は，クランプ式電流計により，家庭などにおける実使用状態での電気製品に流れる電流を計測するのに好適な測定用治具に関するものである。
【背景技術】
【０００２】
現在，電力会社である出願人は，電力需要家において，電気製品の新規購入やブレーカー動作の頻発による契約変更（いわゆるアンペアブレーカー容量の変更）などの相談を受け，需要家に出向する場合がある。この場合、簡便な計測を行わなければならないことから、クランプ式電流計で計測したいのだが、家庭内の電機機器のコードは２導線が絶縁皮膜にて一括して一線に形成されていることから、クランプ式電流計を用いては計測できない。
【０００３】
そのため、分電盤で屋内配線が分岐している部分で計測しなければならず、計測に手間がかかり、また、屋内配線が末端にて更に分岐している場合などには、計測が不正確になるなどの欠点もあった。
【０００４】
また、特許文献１のように、プラグにクランブ式電流計のクランプを咬ませる空隙を設け、この空隙間に導線を配設することで、プラグに流れる電流を計測するものも提案されているが、コンセントが狭隘な位置ある場合には、コンセントに接続されたプラグの空隙にクランプを咬ませることが物理的に困難な場合もある。
【先行技術文献】
【特許文献】
【０００５】
【特許文献１】実開平７−３２５７３号公報
【発明の概要】
【発明が解決しようとする課題】
【０００６】
このように、取扱いが容易で、簡便な、特に、家庭内で用いられる電流計測用治具の提案が望まれていた。
【課題を解決するための手段】
【０００７】
この課題に鑑み、本発明の発明者は、課題解決の手段として、プラグ，プラグコンセント及びそれらの間に接続する絶縁された２導線からなる電線束から構成され、前記電線束には，前記２導体を相互に解離し，空隙部分を設けた電流測定用治具を発明した。
【０００８】
また、前記の電流測定用冶具の前記電線束の部分を熱収縮チューブにて一体化した電流測定用治具を発明した。
【０００９】
更にまた、プラグ，プラグコンセント及びクランプ電流計を咬ませるループを有する測定部を主要な構成要素とし、前記プラグと前記測定部の間には絶縁された２導線からなる第１の電線束にて，及び，前記プラグコンセントと前記測定部の間には絶縁された２導線からなる第２の電線束にて，それぞれ電気的に接続され，
前記測定部の内部には，前記第１の電線束と前記第２の電線束の各２導線を測定部の有するループに沿って配設し、電気的に結合されることを特徴とする電流測定用治具を発明した。
【発明の効果】
【００１０】
本発明による電流測定用冶具を用いれば、家庭内における家電製品に流れる電流を、クランプ式電流計により、極めて簡易に計測することができる。
【図面の簡単な説明】
【００１１】
【図１】本発明の実施例１にかかる電流測定治具を説明する図である。
【図２】プラグの端子刃部分の可動を説明する図であり、（ａ）は平面図、（ｂ）は側面図である。
【図３】熱収縮チューブを利用した場合を説明する図である。（ａ）は熱収縮前の図、（ｂ）は熱収縮後の図、（ｃ）は空隙部分に熱収縮チューブを利用した場合の説明図である。
【図４】本発明の実施例２にかかる電流測定治具を説明する図である。
【発明を実施するための形態】
【００１２】
以下、図面を参照しながら、本発明の実施形態について説明する。
なお、以下の実施形態は、本発明の具体例であり、本発明の技術的範囲を限定するものではない。
【００１３】
（実施例１）
図１において、電流測定用治具１は、両端にプラグ２とプラグコンセント３を有し、それらの間に接続する電線束４から構成される。この電線束４は、電気的に絶縁された２導線５ａ、５ｂよりなり、この２導体５ａ、５ｂを相互に解離することで，空隙部分６が構成される。電線束４は、独立した絶縁導体２本を束ねて形成してもよく、また、通常の家庭用の交流電線の中間部を長手方向に開切することで、空隙部分６を設けてもよい。
【００１４】
そして、家庭にあるコンセントにこのプラグ２を差し込み、また、プラグコンセント３に家電製品のコードの末端に付いているプラグを差し込み、この空隙部分６にクランプ式電流計のクランプを咬ませることで、家電製品を稼働させたときにこの電線束４（又は、導体５ａ、５ｂ）に流れる電流、つまり、家電製品に流れる電流を計測することができる。
【００１５】
なお、空隙部分６は、クランプ式電流計のクランプが余裕をもって咬ませられる程度の大きさとする必要がある（空隙部分６が余りに小さいと、計測時にクランプが空隙部分６を構成する導線５を咬んでしまうこと等で、導線５の絶縁皮膜を傷つけることがあるからである）。
【００１６】
コンセントは、家具の隙間などに位置することもあり、狭隘な場所にあるコンセントにこのプラグ２を差し込まなければならないこともある。このため、図２のように、プラグ２に、端子刃７（コンセントの孔に差し込む金属製の刃）が設けられた部分を図２（ｂ）の矢印方向に軸回動可能なように構成した可動部分８を設けることで、プラグ２をコンセントに差し込みやすくすることもできる。
【００１７】
電線束４が、独立した絶縁導体２本を束ねて形成されている場合は、図３のように、導体２本（空隙部分６を除く）を熱収縮チューブ（絶縁性物質であることが望ましい）９の中に入れ、例えばヘアドライアー等によりこの熱収縮チューブ９に熱を与え、図３（ｂ）の矢印の方向に収縮し、一体化することで、計測作業の効率と、電線４の保護強化を図ることができる。この場合、図３（ｃ）のように、細い熱収縮チューブ９を、空隙部分６を構成する導線５の補強のために用いてもよい。
【００１８】
また、通常の家庭用交流電線を電線束４として用い、この電線を長手方向に開切して空隙部分６を設ける場合にも、電線束４の空隙部分６以外の部分に熱収縮チューブ９にて補強してもよい。
【００１９】
更にまた、プラグ２およびプラグコンセント３と接続する部分の電線束４を熱収縮チューブ９にて補強してもよい。
【００２０】
なお、図１にて電線束４の長さはコンセントと流れる電流を測定する家電製品の位置関係により、適宜、長さを調整しても構わない。
【００２１】
（実施例２）
実施例１では、電線束４の途中に設ける空隙部分６は、導線５により、又は電線束４を開切して設けられるものである。上で述べたように、本発明の電流測定用治具１は、クランプ式電流計用の計測補助具であり、計測時にクランプの開閉にて導線５が鋏まれ、絶縁皮膜又は熱収縮チューブが痛むこともある。そのため、図４のように、この空隙部分６をクランプ式電流計のクランプを咬ませやすいように予め硬質の絶縁材料（樹脂など。ただし、磁性材料はクランプ式電流計の動作原理上、不適。）などでループを有する測定部１０を形成し、この測定部１０を用いる電流測定用治具１もある。
【００２２】
これは、プラグ２，プラグコンセント３及び測定部１０を主要な構成要素とし、このプラグ２と測定部１０の間には電線束（第１の電線束）を配設し、プラグコンセント３と測定部９の間にも電線束（第２の電線束）を配設し，それぞれ電気的に接続され，測定部１０の内部においては，第１の電線束と第２の電線束の各導線が測定部１０の有するループに沿って配設され、電気的に結合されることにより構成される。
【００２３】
測定部１０は、図４においては略円形状の空隙部分６を有するが、この形状に限らず、例えば長方形状などであっても構わない。
【産業上の利用可能性】
【００２４】
本発明は、家庭における実使用状態での電気製品に流れる電流を簡易に計測することができ、電力需要家の契約電力（アンペア数）の変更要請に対するコンサルティング等、多用途に利用することができる。
【符号の説明】
【００２５】
１  電流測定用治具
２  プラグ
３  プラグコンセント
４  電線束
５  導体
６  空隙部分
７  端子刃
８  可動部分
９  熱収縮チューブ
１０  測定部
【図１】
2010236931.tif 000003
【図２】
2010236931.tif 000004
【図３】
2010236931.tif 000005
【図４】
2010236931.tif 000006